(57)【要約】【課題】ユーザの視聴環境に応じた、番組の操作を可能とする。【解決手段】情報処理装置（２１）において、１又は複数の制御部（２２）は、複数の地域のうち、少なくとも何れかの地域にて視聴可能な番組の番組情報であって、ユーザに提示する番組情報を特定し、特定した番組情報が示す対象番組を検索した検索結果に応じた操作をユーザに提示するためのオブジェクトを生成する。【選択図】図２
2018174459.tif 000002
【特許請求の範囲】
【請求項１】
情報処理装置であって、
１又は複数の制御部を備え、
上記１又は複数の制御部は、
複数の地域のうち、少なくとも何れかの地域にて視聴可能な番組の番組情報であって、ユーザに提示する番組情報を特定し、
上記特定した番組情報が示す対象番組を検索した検索結果に応じた操作をユーザに提示するためのオブジェクトを生成する
ことを特徴とする情報処理装置。
【請求項２】
上記検索結果は、放送波に含まれる電子番組表において上記対象番組を検索した結果を含むことを特徴とする請求項１に記載の情報処理装置。
【請求項３】
上記検索結果は、番組が格納された記録媒体において上記対象番組を検索した結果を含むことを特徴とする請求項１又は２に記載の情報処理装置。
【請求項４】
上記検索結果は、動画配信サービスにおいて上記対象番組を検索した結果を含むことを特徴とする請求項１から３の何れか１項に記載の情報処理装置。
【請求項５】
上記制御部は、
上記対象番組が検索で見つかった場合に、上記オブジェクトに、上記対象番組の現在又は将来における視聴に関する操作についてのオブジェクトを含める
ことを特徴とする請求項１から４の何れか１項に記載の情報処理装置。
【請求項６】
上記制御部は、
上記対象番組が検索で見つからなかった場合に、上記オブジェクトに、上記対象番組の現在又は将来における視聴に関する操作についてのオブジェクトを含めない
ことを特徴とする請求項１から４の何れか１項に記載の情報処理装置。
【請求項７】
請求項１から６の何れか１項に記載の情報処理装置と、
上記オブジェクトをユーザに提示する表示部と
を備えていることを特徴とする表示装置。
【請求項８】
上記表示部は、特定した番組情報と共に、上記オブジェクトを表示する
ことを特徴とする請求項７に記載の表示装置。
【請求項９】
番組情報提示システムであって、
１又は複数の制御部と表示部とを備え、
上記１又は複数の制御部は、
複数の地域のうち、少なくとも何れかの地域にて視聴可能な番組の番組情報であって、ユーザに提示する番組情報を特定し、
上記特定した番組情報が示す対象番組を検索した検索結果に応じた操作をユーザに提示するためのオブジェクトを生成し、
上記表示部は、上記特定した番組情報と共に、上記オブジェクトを表示する
ことを特徴とする番組情報提示システム。
【請求項１０】
情報処理装置による情報処理方法であって、
複数の地域のうち、少なくとも何れかの地域にて視聴可能な番組の番組情報であって、ユーザに提示する番組情報を特定するステップと、
上記特定した番組情報が示す対象番組を検索した検索結果に応じた操作をユーザに提示するためのオブジェクトを生成するステップと、
を含んでいることを特徴とする情報処理方法。
【請求項１１】
請求項１に記載の情報処理装置としてコンピュータを機能させるためのプログラムであって、上記制御部としてコンピュータを機能させるためのプログラム。
【発明の詳細な説明】
【技術分野】
【０００１】
本発明は、情報処理装置、表示装置、番組情報提示システム、情報処理方法、及びプログラムに関する。
【背景技術】
【０００２】
テレビジョン受像機において、予め地域を都道府県単位で設定しておき、受信できる放送局の範囲内で番組のランキングを生成し、表示する技術がある。その場合、当該ランキングに表示されている番組は、全て当該テレビジョン受像機で受信できる番組である。そして、テレビジョン受像機において、現在放送中の番組であれば「視聴」ボタンを表示し、今後放送予定の番組であれば「予約」ボタンを表示するという形で、操作ボタンの表示を切り替えている。
【０００３】
番組ランキングではないが、類似の技術として、特許文献１には、番組表に視聴率や予約数を表示し、効率的な番組の選択・録画操作を可能とするコンテンツ録画支援システムが開示されている。このコンテンツ録画支援システムは、番組表に表示するので、受信可能な放送局の番組を対象とするものである。
【先行技術文献】
【特許文献】
【０００４】
【特許文献１】特許第５８２０２２２号公報（２０１３年５月９日公開）
【発明の概要】
【発明が解決しようとする課題】
【０００５】
しかしながら、番組放送において、複数の都道府県に亘って「広域放送」を行っている放送局がある。そのような広域放送地域では、複数の放送局を合算してランキングを決定することがある。また、番組のランキングは地域によって特徴があり、ユーザの受信地域以外の地域（他地域）におけるランキングを閲覧することもある。そのような広域放送地域や他地域におけるランキング上の放送番組を、ユーザのテレビジョン受像機が受信できるとは限らない。
【０００６】
そのため、従来の技術では、受信できない放送局の番組に関しては、一律に操作ボタンを表示しない、又は、受信できない放送局の番組情報は表示しないという対応をせざるを得なかった。
【０００７】
本発明の一態様は、ユーザの視聴環境に応じた、番組の操作を可能とすることを目的とする。
【課題を解決するための手段】
【０００８】
上記の課題を解決するために、本発明の一態様に係る情報処理装置は、１又は複数の制御部を備え、上記１又は複数の制御部が、複数の地域のうち、少なくとも何れかの地域にて視聴可能な番組の番組情報であって、ユーザに提示する番組情報を特定し、上記特定した番組情報が示す対象番組を検索した検索結果に応じた操作をユーザに提示するためのオブジェクトを生成する。
【０００９】
上記の課題を解決するために、本発明の一態様に係る番組情報提示システムは、１又は複数の制御部と表示部とを備え、上記１又は複数の制御部が、複数の地域のうち、少なくとも何れかの地域にて視聴可能な番組の番組情報であって、ユーザに提示する番組情報を特定し、上記特定した番組情報が示す対象番組を検索した検索結果に応じた操作をユーザに提示するためのオブジェクトを生成し、上記表示部が、上記特定した番組情報と共に、上記オブジェクトを表示する。
【００１０】
上記の課題を解決するために、本発明の一態様に係る情報処理方法は、情報処理装置による情報処理方法であって、複数の地域のうち、少なくとも何れかの地域にて視聴可能な番組の番組情報であって、ユーザに提示する番組情報を特定するステップと、上記特定した番組情報が示す対象番組を検索した検索結果に応じた操作をユーザに提示するためのオブジェクトを生成するステップと、を含んでいる。
【発明の効果】
【００１１】
本発明の一態様によれば、ユーザの視聴環境に応じた、番組の操作を可能とするとの効果を奏する。
【図面の簡単な説明】
【００１２】
【図１】本発明の実施形態１に係る番組情報提示システムの構成を示す図である。
【図２】本発明の実施形態１に係る表示装置の構成を示す図である。
【図３】本発明の実施形態１に係る番組情報提示システムの処理を示すシーケンス図である。
【図４】本発明の実施形態１に係る番組ランキングの画面及び番組詳細情報の画面の表示例を示す図である。
【図５】本発明の実施形態１に係る操作ボタンを含む、番組詳細情報の画面の表示例を示す図である。
【図６】本発明の実施形態１に係る操作ボタン表示の変形例を示す図である。
【図７】本発明の実施形態２に係る番組情報提示システムの処理を示すシーケンス図である。
【図８】本発明の実施形態２に係る番組ランキングの画面の表示例を示す図である。
【図９】本発明の実施形態２に係る操作ボタン表示の変形例を示す図である。
【図１０】本発明の実施形態３に係る表示装置の構成を示す図である。
【図１１】本発明の実施形態３に係る系列放送局の変換表を示す図である。
【図１２】本発明の実施形態３に係る番組情報表を示す図である。
【図１３】本発明の実施形態４に係る表示装置及び放送局特定サーバの構成を示す図である。
【図１４】本発明の実施形態５に係る表示装置及び放送局特定サーバとして利用可能なコンピュータの構成を例示したブロック図である。
【発明を実施するための形態】
【００１３】
〔実施形態１〕
以下、本発明の実施形態１について、詳細に説明する。
【００１４】
（番組情報提示システム１の構成）
図１は、本実施形態に係る番組情報提示システム１の構成を示す図である。図１に示すように、番組情報提示システム１は、表示装置２、番組ランキングサーバ３、番組情報管理サーバ４、及びログ集積サーバ５を備えている。表示装置２は、番組のランキング及び番組詳細情報を表示する装置であり、例えば、テレビジョン受像機等である。表示装置２は、番組ランキングサーバ３から番組ランキングデータを取得し、番組情報管理サーバ４から番組詳細情報を取得する。
【００１５】
番組ランキングサーバ３は、番組のランキングを生成するサーバであり、ログ集積サーバ５から利用ログ統計データを取得し、当該利用ログ統計データにより番組のランキングに関するデータベースを作成し、当該データベースからランキング情報を表示装置２に提供する。
【００１６】
番組のランキングは、人気のある番組をランキング形式にしてユーザに提供するサービスである。番組ランキングサーバ３は、番組のランキングを生成する場合に、放送中番組の視聴数を集計し、未来の番組の録画数及び視聴予約数を集計し、ＨＤＤに録画した番組の再生時間を集計する。また、番組ランキングサーバ３は、番組のランキングを、集計日、地域ごとに生成可能であり、過去の期間、ユーザの受信地域以外の地域（他地域）に関して生成することも可能である。
【００１７】
番組予約ランキングの集計方法について、以下に一例を示す。番組ランキングサーバ３は、規約許諾済ユーザの表示装置２から取得した予約情報をもとに番組の予約数を集計し、予約数の多い順にランキング化を行う。詳細には、予約数は、視聴予約と録画予約を合算する。ランキングは、所定のタイミング、例えば１時間に１回集計され、放送時間が、所定の時間、例えば１５分未満の番組は、ランキング表示対象外になる（集計自体は実施）。ランキング表示時点で放送開始している番組は、ランキング表示対象外になる。
【００１８】
また、録画再生ランキング集計方法について、以下に一例を示す。番組ランキングサーバ３は、規約許諾済ユーザの表示装置２から取得した再生視聴情報をもとに番組の視聴量（どれだけ見られたかを表す独自指標）を集計し、視聴量の多い順にランキング化する。詳細には、ランキングは、所定のタイミング、例えば１日に１回集計更新される。放送時間が所定の時間、例えば１５分未満の番組は、ランキング表示対象外になる（集計自体は実施）。直近の所定の期間、例えば直近一週間に放送された番組がランキング表示対象になる。
【００１９】
番組情報管理サーバ４は、番組詳細情報に関するデータベースを作成し、当該データベースから番組詳細情報を表示装置２に提供する。ログ集積サーバ５は、表示装置２からテレビの利用情報を取得して、利用ログ統計データを生成して、当該利用ログ統計データを番組ランキングサーバ３に提供する。テレビの利用情報には、例えば現在視聴している番組に関する情報（視聴情報）、録画予約した番組に関する情報（予約情報）、録画した番組に関する情報（録画情報）、録画番組の再生に関する情報（再生情報）、接続されているＨＤＤに関する情報等がある。
【００２０】
なお、番組情報提示システム１は、１又は複数の制御部２２と、表示部２４とを備えた構成であってもよい。制御部２２及び表示部２４に関しては、後述する。
【００２１】
（表示装置２の構成）
図２は、本実施形態に係る表示装置２の構成を示す図である。図２に示すように、番組情報提示システム１において、表示装置２は、情報処理装置２１と、表示部２４とを備えている。
【００２２】
情報処理装置２１は、１又は複数の制御部２２と、通信部２３とを備えている。１又は複数の制御部２２は、番組情報特定部２２１、表示画面生成部２２２、及びオブジェクト生成部２２３を備えている。番組情報特定部２２１は、複数の地域のうち、少なくとも何れかの地域にて視聴可能な番組の番組情報であって、ユーザに提示する番組情報を特定する。番組情報は、番組ランキングサーバ３から取得する番組のランキング等に示されるタイトルのみでもよいし、番組情報管理サーバ４から取得する番組詳細情報であってもよい。表示画面生成部２２２は、番組ランキングの画面、番組詳細情報の画面等を生成する。オブジェクト生成部２２３は、特定した番組情報が示す対象番組を検索した検索結果に応じた操作をユーザに提示するための操作ボタン（オブジェクト）を生成する。
【００２３】
検索結果は、例えば放送波に含まれる電子番組表において対象番組を検索した結果、番組が格納された記録媒体において対象番組を検索した結果、及び、動画配信サービスにおいて対象番組を検索した結果の少なくとも何れかを含む。操作ボタンは、例えば視聴ボタン、予約ボタン、再生ボタン、ＶｏＤボタンの少なくとも何れかを含む。
【００２４】
通信部２３は、番組ランキングサーバ３及び番組情報管理サーバ４と通信を行う。
【００２５】
表示部２４は、操作ボタンをユーザに提示するものであり、特定した番組情報と共に、操作ボタンを表示するものである。
【００２６】
（番組情報提示システム１の処理）
図３は、本実施形態に係る番組情報提示システム１の処理を示すシーケンス図である。図３に示すように、表示装置２は、番組ランキングサーバ３に対して、ユーザにより設定された条件を付与して、ランキング情報を要求する（Ｓ３０１）。
【００２７】
図４（ａ）は、本実施形態に係る番組ランキングの画面Ｇ１の表示例を示す図である。ユーザが「ランキング条件設定」ボタンＢ１１を選択することにより、表示装置２がランキング情報を要求する際に付与される条件の設定が可能になり、既に番組ランキングが表示されている場合には、番組ランキングの期間、地域の切換が可能になる。ランキングには、例えば視聴ランキング、番組予約ランキング、及び録画再生ランキングの少なくとも何れかが含まれる。
【００２８】
視聴ランキングは、視聴中の番組、又は、視聴済の番組のランキングである。時間に関しては、放送中と、過去（例えばデイリー、週間、月間）との番組ランキングを取得できる。集計対象地域に関しては、例えば、地上波（例えば北海道、宮城、福島、関東、新潟、静岡、中京、関西、岡山／香川、広島、福岡）と、ＢＳ（全国）との番組ランキングを取得できる。
【００２９】
番組予約ランキングは、視聴予約又は録画予約されている番組のランキングである。集計対象地域に関しては、例えば地上波（関東）のみである。
【００３０】
録画再生ランキングは、録画データが再生されている番組のランキングである。集計対象地域に関しては、例えば地上波（関東）のみである。
【００３１】
ランキングの地域として、広域放送地域を要求することが可能である。例えば、北海道ランキングにおける「ＫＮＨ総合」との放送局は、「ＫＮＨ総合・札幌」、「ＫＮＨ総合・函館」など７局の視聴数を合算しており、ランキングには代表放送局の番組が表示される。
【００３２】
また、他地域のランキングを要求することも可能であるが、そもそもユーザの受信地域とは別の地域にある放送局の番組ランキングであり、そのランキングに含まれる番組をユーザが直接受信することはできない。
【００３３】
番組ランキングサーバ３は、表示装置２からランキング情報の要求を受け付ける（Ｓ３０２）。次に、番組ランキングサーバ３は、要求に付与されている条件に従ってデータベースを検索し、該当したランキング情報を取得する（Ｓ３０３）。そして、番組ランキングサーバ３は、取得したランキング情報を表示装置２に送信する（Ｓ３０４）。
【００３４】
表示装置２において、通信部２３は番組ランキングサーバ３からランキング情報を受信し、表示画面生成部２２２は番組ランキングの画面Ｇ１を生成し、表示部２４に画面Ｇ１を表示させる（Ｓ３０５）。図４（ａ）の表示例に示すように、表示装置２は、北海道（地上波）における放送中ランキング１〜５位の番組タイトルを含む画面Ｇ１を表示部２４に表示させる。
【００３５】
続いて、表示装置２は、ユーザが番組を選択する操作を受け付ける（Ｓ３０６）。ここで、番組情報特定部２２１は、選択された番組情報を特定する。そして、表示装置２は、ユーザに選択された番組に関する番組詳細情報を番組情報管理サーバ４に要求する（Ｓ３０７）。
【００３６】
番組情報管理サーバ４は、表示装置２から番組詳細情報の要求を受け付ける（Ｓ３０８）。次に、番組情報管理サーバ４は、要求された番組の番組詳細情報に関してデータベースを検索し、該当した番組詳細情報を取得する（Ｓ３０９）。そして、番組情報管理サーバ４は、取得した番組詳細情報を表示装置２に送信する（Ｓ３１０）。
【００３７】
表示装置２において、通信部２３は番組情報管理サーバ４から番組詳細情報を受信し、表示画面生成部２２２は番組詳細情報の画面Ｇ２を生成し、表示部２４に画面Ｇ２を表示させる（Ｓ３１１）。図４（ｂ）は、本実施形態に係る番組詳細情報の画面Ｇ２の表示例を示す図である。図４（ｂ）の表示例に示すように、表示装置２は、図４（ａ）の画面Ｇ１にて選択された番組である「△△△△△△」の番組詳細情報の画面Ｇ２を表示部２４に表示させる。
【００３８】
続いて、表示装置２は、ユーザの環境において番組に関して可能な操作を特定する（Ｓ３１２）。すなわち、表示装置２は、選択された番組に関して、ユーザがアクセス可能なリソースを検索して、当該番組に関して可能な操作を特定する。詳細には、表示装置２において、オブジェクト生成部２２３は、（ｉ）選択された番組が受信可能な放送局で視聴できるか、（ｉｉ）選択された番組が受信可能な放送局で放送予定があるか、（ｉｉｉ）選択された番組が録画されてＨＤＤに格納済であるか、（ｉｖ）選択された番組がＶｏＤ（Video on Demand）で配信中であるかを判断する。
【００３９】
（ｉ）、（ｉｉ）に関して、オブジェクト生成部２２３は、放送波に含まれる電子番組表において対象番組を検索した結果により判断する。（ｉｉｉ）に関して、オブジェクト生成部２２３は、番組が格納されたＨＤＤ（記録媒体）において対象番組を検索した結果により判断する。（ｉｖ）に関して、オブジェクト生成部２２３は、ＶｏＤ（動画配信サービス）において対象番組を検索した結果により判断する。
【００４０】
さらに、表示装置２は、特定した操作に対応するボタンをさらに含む画面Ｇ２を表示部２４に表示させる（Ｓ３１３）。すなわち、オブジェクト生成部２２３は、対象番組が検索で見つかった場合に、操作ボタンに、視聴、予約、再生、ＶｏＤを含む操作（対象番組の現在又は将来における視聴に関する操作）についての操作ボタンを含める。また、オブジェクト生成部２２３は、対象番組が検索で見つからなかった場合に、操作ボタンに、視聴、予約、再生、ＶｏＤを含む操作についての操作ボタンを含めない。
【００４１】
図５は、本実施形態に係る操作ボタンを含む、番組詳細情報の画面Ｇ２の表示例を示す図である。表示装置２は、選択された番組に関する判断結果に関わらず、「最新の情報に更新」ボタンＢ２１、及び「☆お気に入りに追加」ボタンＢ２２を表示部２４に表示させる。
【００４２】
表示装置２は、選択された番組が受信可能な放送局で視聴できる場合には、図５（ａ）に示すように、「この番組を視聴」ボタンＢ２３を表示部２４に表示させる。表示装置２は、選択された番組が受信可能な放送局で放送予定がある場合には、図５（ｂ）に示すように、「この番組を予約」ボタンＢ２４を表示部２４に表示させる。表示装置２は、選択された番組が録画されてＨＤＤに格納済である場合には、図５（ｃ）に示すように、「録画した番組を再生」ボタンＢ２を表示部２４に表示させる。表示装置２は、選択された番組がＶｏＤで配信中である場合には、図５（ｄ）に示すように、「ＶｏＤで視聴」ボタンＢ２を表示部２４に表示させる。表示装置２は、選択された番組が上記の何れにも該当しない（当該番組の映像データが何れのリソースにも存在しない）場合には、図５（ｅ）に示すように、ボタンＢ２１、Ｂ２２以外の操作ボタンを表示部２４に表示させない。
【００４３】
上記のように、表示装置２は、「この番組を視聴」ボタンＢ２１などの操作ボタンを含む、番組詳細情報の画面Ｇ２を表示部２４に表示させることにより、ランキングアプリケーションの実行中にテレビジョン受像機の機能を実行可能とする。番組詳細情報の画面Ｇ２に表示される操作ボタンは、ユーザの環境によって異なる。
【００４４】
（操作ボタン表示の変形例）
図６は、本実施形態に係る操作ボタン表示の変形例を示す図である。図６（ａ）〜（ｃ）は、図３のＳ３１２の判断により複数の操作が可能になった場合に、表示装置２が操作ボタンを表示する際のバリエーションを示すものである。詳細には、選択された番組は、受信可能な放送局で視聴可能であり、受信可能な放送局で放送予定があり、かつ、ＶｏＤで配信中である場合の、操作ボタンの表示例を示す。
【００４５】
図６（ａ）は、対応する操作ボタンをすべて表示する例を示す。図６（ａ）に示すように、表示装置２は、「この番組を視聴」ボタンＢ２１、「この番組を予約」ボタンＢ２２、及び「ＶｏＤで視聴」ボタンＢ２３を含む、番組詳細情報の画面Ｇ２を表示部２４に表示させる。
【００４６】
図６（ｂ）は、優先度の高い操作ボタンを表示する例を示す。図６（ｂ）に示すように、表示装置２は、「この番組を視聴」ボタンＢ２１を含む、番組詳細情報の画面Ｇ２を表示部２４に表示させる。優先度の高い操作ボタンには、例えば、ユーザが頻繁に選択する操作ボタン、番組のジャンルに応じた操作ボタン（例えば、ドラマは最初から見られる「予約」が優先される）、利用価格の安い操作ボタン（録画再生、ＶｏＤ再生の場合）等がある。
【００４７】
図６（ｃ）は、優先度の高い操作ボタン及び複数の操作が可能であることを示すマークを表示する例を示す。図６（ｃ）に示すように、表示装置２は、「この番組を視聴」ボタンＢ２１、及び、マークＭ２１を含む、番組詳細情報の画面Ｇ２を表示部２４に表示させる。マークＭ２１は、「この番組を視聴」ボタンＢ２１以外の操作ボタンを表示可能であることを示す。ユーザがマークＭ２１を選択する操作を行うと、表示装置２は、「この番組を予約」ボタンＢ２２、及び「ＶｏＤで視聴」ボタンＢ２３をさらに含む、番組詳細情報の画面Ｇ２（図６（ａ）に示す画面Ｇ２）を表示部２４に表示させる。
【００４８】
このように、本実施形態における情報処理装置２１では、１又は複数の制御部２２が、複数の地域のうち、少なくとも何れかの地域にて視聴可能な番組の番組情報であって、ユーザに提示する番組情報を特定し、特定した番組情報が示す対象番組を検索した検索結果に応じた操作をユーザに提示するための操作ボタンを生成する。そのため、情報処理装置２１は、ユーザの視聴環境に応じた、番組の操作を可能とする。
【００４９】
また、本実施形態における情報処理装置２１では、上記検索結果が、放送波に含まれる電子番組表において対象番組を検索した結果を含む。そのため、情報処理装置２１は、電子番組表により、ユーザが番組の視聴又は予約を行う操作を可能とする。
【００５０】
また、本実施形態における情報処理装置２１では、上記検索結果が、番組が格納された記録媒体において対象番組を検索した結果を含む。そのため、情報処理装置２１は、記録媒体から、ユーザが録画番組を再生する操作を可能とする。
【００５１】
また、本実施形態における情報処理装置２１では、上記検索結果が、動画配信サービスにおいて対象番組を検索した結果を含む。そのため、情報処理装置２１は、動画配信サービスにより、ユーザが番組を視聴する操作を可能とする。
【００５２】
また、本実施形態における情報処理装置２１では、制御部２２が、対象番組が検索で見つかった場合に、操作ボタンに、対象番組の現在又は将来における視聴に関する操作についての操作ボタンを含める。そのため、情報処理装置２１は、生成された操作ボタンを用いて、ユーザが対象番組の現在又は将来における視聴に関する操作を行うことを可能とする。
【００５３】
また、本実施形態における情報処理装置２１では、制御部２２が、対象番組が検索で見つからなかった場合に、操作ボタンに、対象番組の現在又は将来における視聴に関する操作についての操作ボタンを含めない。そのため、情報処理装置２１は、ユーザが対象番組の現在又は将来における視聴に関する操作を行えないことを示すことができる。
【００５４】
また、本実施形態における表示装置２は、情報処理装置２１と、操作ボタンをユーザに提示する表示部２４と、を備えている。そのため、表示装置２は、提示された操作ボタンを用いて、ユーザが対象番組の現在又は将来における視聴に関する操作を行うことを可能とする。
【００５５】
〔実施形態２〕
本発明の実施形態２について、図７〜図９に基づいて説明すれば、以下の通りである。なお、説明の便宜上、前記実施形態にて説明した部材と同じ機能を有する部材については、同じ符号を付記し、その説明を省略する。
【００５６】
本発明の実施形態１では、番組詳細情報の画面Ｇ２に操作ボタンを表示する構成を説明したが、本実施形態では、番組ランキングの画面Ｇ１に操作ボタンを表示する構成を説明する。なお、本実施形態は、操作ボタンを表示する画面以外に関しては、本発明の実施形態１と同様である。
【００５７】
図７は、本実施形態に係る番組情報提示システム１の処理を示すシーケンス図である。図７に示すように、表示装置２は、番組ランキングサーバ３に対して、ユーザにより設定された条件を付与して、ランキング情報を要求する（Ｓ７０１）。
【００５８】
番組ランキングサーバ３は、表示装置２からランキング情報の要求を受け付ける（Ｓ７０２）。次に、番組ランキングサーバ３は、要求に付与されている条件に従ってデータベースを検索し、該当したランキング情報を取得する（Ｓ７０３）。そして、番組ランキングサーバ３は、取得したランキング情報を表示装置２に送信する（Ｓ７０４）。
【００５９】
表示装置２において、通信部２３は番組ランキングサーバ３からランキング情報を受信し、番組情報特定部２２１は受信したランキング情報に含まれる番組情報を特定し、表示画面生成部２２２は番組ランキングの画面Ｇ１を生成し、表示部２４に画面Ｇ１を表示させる（Ｓ７０５）。図８は、本実施形態に係る番組ランキングの画面Ｇ１の表示例を示す図である。
【００６０】
表示装置２は、変数ｉに１を代入する（Ｓ７０６）。変数ｉは、Ｓ７０８における処理対象となる番組を特定する番号を示す。続いて、表示装置２は、変数ｉが、ランキング情報として取得した番組件数以下であるか否かを判定する（Ｓ７０７）。
【００６１】
変数ｉが上記の番組件数以下である場合（Ｓ７０７のＹＥＳ）、表示装置２は、ｉ件目の番組に関して、ユーザの環境において可能な操作を特定する（Ｓ７０８）。続いて、表示装置２は、変数ｉに１を加算して（Ｓ７０９）、Ｓ７０７の判定を行う。
【００６２】
変数ｉが上記の番組件数よりも大きい場合（Ｓ７０７のＮＯ）、表示装置２は、番組ランキングの画面Ｇ１に表示された各番組に関して、特定した操作に対応するボタンをさらに含む画面Ｇ１を表示部２４に表示させる（Ｓ７１０）。
【００６３】
図８に示すように、表示装置２は、表示部２４に対して、例えば、１件目の番組には「視聴」ボタンＢ１３を表示させ、２件目の番組には「予約」ボタンＢ１４を表示させ、３件目の番組には「再生」ボタンＢ１５を表示させ、４件目の番組には「ＶｏＤ」ボタンＢ１６を表示させる。
【００６４】
図９は、本実施形態に係る操作ボタン表示の変形例を示す図である。図９は、図７のＳ７０８の判断により複数の操作が可能になった場合に、表示装置２が操作ボタンを表示する例を示すものである。１件目の番組に関して可能な操作が複数ある場合、図９に示すように、表示装置２は、１件目の番組に対する「視聴」ボタンＢ１３及びマークＭ１１を含む、番組ランキングの画面Ｇ１を表示部２４に表示させる。「視聴」ボタンＢ１３は、優先度の高い操作ボタンである。マークＭ１１は、「視聴」ボタンＢ１３以外に操作可能なボタンがあることを示す。
【００６５】
ユーザが１件目の番組を選択すると、表示装置２は、「この番組を視聴」ボタンＢ２１、及び、ボタンＢ２１以外に操作可能なボタンを含む、番組詳細情報の画面Ｇ２を表示部２４に表示させる。例えば、図６（ａ）の画面Ｇ２において、ボタンＢ２１以外に操作可能なボタンとして、「この番組を予約」ボタンＢ２２、及び「ＶｏＤで視聴」ボタンＢ２３が表示される。
【００６６】
このように、本実施形態における表示装置２では、表示部２４が、特定した番組情報と共に、操作ボタンを表示する。そのため、表示装置２は、番組情報と共に表示された操作ボタンを用いて、ユーザが対象番組の現在又は将来における視聴に関する操作を行うことを可能とする。
【００６７】
〔実施形態３〕
本発明の実施形態３について、図１０〜図１２に基づいて説明すれば、以下の通りである。なお、説明の便宜上、前記実施形態にて説明した部材と同じ機能を有する部材については、同じ符号を付記し、その説明を省略する。
【００６８】
本実施形態では、本発明の実施形態１、２に続く処理として、番組ランキングの画面Ｇ１において選択された番組を受信する放送局を特定する処理について説明する。
【００６９】
図１０は、本実施形態に係る表示装置２ａの構成を示す図である。図１０に示すように、番組情報提示システム（情報処理システム）１ａにおいて、表示装置２ａは、情報処理装置２１ａと、表示部２４とを備えている。なお、番組情報提示システム１ａは、１又は複数の制御部２２ａを備えた構成であってもよい。制御部２２ａに関しては、後述する。
【００７０】
情報処理装置２１ａは、１又は複数の制御部２２ａと、通信部２３とを備えている。１又は複数の制御部２２ａは、番組情報特定部２２１、表示画面生成部２２２、オブジェクト生成部２２３、及び放送局特定部２２４を備えている。図２の表示装置２と異なるのは、図１０の表示装置２ａは、制御部２２ａが放送局特定部２２４をさらに備えていることである。
【００７１】
放送局特定部２２４は、互いに異なる放送局を有する複数の地域のうち、ユーザの受信地域にない放送局（第１の地域における放送局）を示す放送局ＩＤ（放送局情報）を参照して、ユーザの受信地域にある放送局（第２の地域における放送局）であって、上記第１の地域における放送局に対応する放送局を特定する。すなわち、放送局特定部２２４は、複数の地域における放送局の対応表を用いて、番組ランキングの画面Ｇ１に表示されている番組に係る放送局ＩＤを、ユーザの受信地域における放送局ＩＤに変換する。また、放送局特定部２２４は、表示装置２ａが有する位置情報を参照して、ユーザの受信地域（第２の地域）を特定する。
【００７２】
表示部２４は、ユーザの受信地域にある放送局であって、ユーザの受信地域にない放送局に対応する放送局が放送する番組を表示する。
【００７３】
図１１は、本実施形態に係る系列放送局の変換表Ｔ１を示す図である。系列放送局の変換表Ｔ１は、都道府県ごとに、各放送局（公共放送及び地上波民放キー局）に対応する全国の系列局を特定するための放送局ＩＤを網羅するテーブルである。図１１に示すように、系列放送局の変換表Ｔ１において、例えば、本日テレビ系に関しては、北海道の放送局ＩＤである「１０３」と、東京の放送局ＩＤである「１７０３」とが対応する。
【００７４】
従って、例えば、表示装置２ａが北海道の番組ランキングの画面Ｇ１（図６（ｃ）参照）を表示部２４に表示させている場合に、ユーザがランキング１位の番組の「視聴」ボタンＢ１３を選択したとする。
【００７５】
このとき、放送局特定部２２４は、選択された「視聴」ボタンＢ１３に係る番組情報から放送局ＩＤ「１０３」を特定する。次に、放送局特定部２２４は、変換表Ｔ１を参照して、特定した放送局ＩＤ「１０３」から、受信地域である東京の、対応する放送局ＩＤ「１７０３」を特定する。
【００７６】
その後、表示装置２ａは、特定した放送局ＩＤ「１７０３」の放送局を選局して、その放送局から番組映像データを受信し、表示部２４に表示させる。
【００７７】
図１２は、本実施形態に係る番組情報表Ｔ２を示す図である。番組情報表Ｔ２は、ユーザの受信地域の放送局と、番組名とを対応付けたテーブルである。地方の放送局は、関東にある複数の民放キー局の番組を、時間帯ごとに変えながら、放送することがある。そして、ユーザは、地方の番組ランキングを見て、関東で視聴することがある。
【００７８】
この場合、地方の放送局が複数の民放キー局に対応するので、放送局特定部２２４は、関東（第２の地域）における放送局であって、地方（第１の地域）における放送局に対応する放送局の候補が複数存在する場合に、当該複数の候補の何れかを選択する。詳細には、放送局特定部２２４は、番組名を用いて放送局を特定する。すなわち、放送局特定部２２４は、番組ランキングサーバ３から取得した番組名と、表示装置２内で持っている番組情報表Ｔ２の番組名とを比較し、一致する放送局を選択する。なお、放送局特定部２２４は、番組ランキングサーバ３から取得した番組名との類似度が高い、番組情報表Ｔ２の番組名を優先して、選択してもよい。
【００７９】
図１２に示すように、大分放送は、民放キー局のＢＳＴ及び本日テレビの番組を放送している。番組ランキングの画面Ｇ１に表示された「１０分クッキング」の「視聴」ボタンＢ１３がユーザに選択されたとする。このとき、放送局特定部２２４は、図１２（ａ）に示すように、選択された「視聴」ボタンＢ１３に係る番組名「１０分クッキング」を用いて、番組情報表Ｔ２の番組名の項目を検索して、番組名が該当した放送局「本日テレビ」を特定する。
【００８０】
また、番組ランキングの画面Ｇ１に表示された「あさおび！」の「視聴」ボタンＢ１３がユーザに選択されたとする。このとき、放送局特定部２２４は、図１２（ｂ）に示すように、選択された「視聴」ボタンＢ１３に係る番組名「あさおび！」を用いて、番組情報表Ｔ２の番組名の項目を検索して、番組名が該当した放送局「ＢＳＴ」を特定する。
【００８１】
表示装置２ａは、上記のように放送局を特定した後、番組情報管理サーバ４に対して、受信可能な放送局で放送予定があるか否かを問い合わせてもよい。この場合、表示装置２ａは、番組情報管理サーバ４に番組ＩＤ及び受信可能放送局リストを送信する。これに応答して、番組情報管理サーバ４は、表示装置２ａに番組ＩＤ、放送局、及び放送日程を送信する。なお、表示装置２ａは、受信可能な放送局で放送予定があるか否かを判断するために、放送波に含まれる電子番組表において対象の番組名を検索することにより、当該電子番組表に当該番組名が含まれているか否かを判定してもよい。
【００８２】
〔実施形態４〕
本発明の実施形態４について、図１３に基づいて説明すれば、以下の通りである。なお、説明の便宜上、前記実施形態にて説明した部材と同じ機能を有する部材については、同じ符号を付記し、その説明を省略する。
【００８３】
本発明の実施形態３では、表示装置２ａが放送局特定部２２４を備える構成を説明したが、本実施形態では、放送局特定サーバ６が放送局特定部６２１を備える構成を説明する。なお、本実施形態は、放送局特定部６２１の配置以外に関しては、本発明の実施形態３と同様である。
【００８４】
図１３は、本実施形態に係る表示装置２ｂ及び放送局特定サーバ６の構成を示す図である。図１３に示すように、番組情報提示システム（情報処理システム）１ｂにおいて、表示装置２ｂは、情報処理装置２１ｂと、表示部２４とを備えている。なお、番組情報提示システム１ｂは、１又は複数の制御部６２を備えた構成であってもよい。制御部６２に関しては、後述する。
【００８５】
情報処理装置２１ｂは、１又は複数の制御部２２と、通信部２３ｂとを備えている。１又は複数の制御部２２は、番組情報特定部２２１、表示画面生成部２２２、及びオブジェクト生成部２２３を備えている。通信部２３ｂは、番組ランキングサーバ３、番組情報管理サーバ４、及び放送局特定サーバ（サーバ）６と通信を行う。図１０の表示装置２ａと異なるのは、図１３の表示装置２ｂは、制御部２２が放送局特定部２２４を備えておらず、通信部２３ｂがさらに放送局特定サーバ６と通信を行うことである。
【００８６】
放送局特定サーバ６は、情報処理装置６１、取得部６３、及び出力部６４を備えている。情報処理装置６１は、１又は複数の制御部６２を備えている。１又は複数の制御部６２は、放送局特定部６２１を備えている。放送局特定部６２１は、互いに異なる放送局を有する複数の地域のうち、受信地域でない地方（第１の地域）における放送局を示す放送局ＩＤ（放送局情報）を参照して、受信地域である関東（第２の地域）における放送局であって、地方における放送局に対応する放送局を特定する。
【００８７】
取得部６３は、表示装置２ｂから、地方における放送局を示す放送局ＩＤを取得する。出力部６４は、関東における放送局であって、地方における放送局に対応する放送局を示す放送局ＩＤを表示装置２ｂに出力する。
【００８８】
なお、番組ランキングサーバ３、及び、番組情報管理サーバ４の少なくとも一方が、放送局特定サーバ６の処理を行ってもよい。
【００８９】
表示装置２ｂは、放送局特定サーバ６から放送局ＩＤを取得した後、番組情報管理サーバ４に対して、受信可能な放送局で放送予定があるか否かを問い合わせてもよい。この場合、表示装置２ｂは、番組情報管理サーバ４に番組ＩＤ及び受信可能放送局リストを送信する。これに応答して、番組情報管理サーバ４は、表示装置２ｂに番組ＩＤ、放送局、及び放送日程を送信する。なお、表示装置２ｂは、受信可能な放送局で放送予定があるか否かを判断するために、放送波に含まれる電子番組表において対象の番組名を検索することにより、当該電子番組表に当該番組名が含まれているか否かを判定してもよい。
【００９０】
〔実施形態５〕
表示装置２、２ａ、２ｂ、情報処理装置２１、２１ａ、２１ｂ、６１、及び放送局特定サーバ６の各ブロックは、集積回路（ＩＣチップ）等に形成された論理回路（ハードウェア）によって実現してもよいし、１つまたは複数のプロセッサにより実行されるソフトウェアによって実現してもよい。後者の場合、表示装置２、２ａ、２ｂ、情報処理装置２１、２１ａ、２１ｂ、６１、及び放送局特定サーバ６のそれぞれを、図１４に示すようなコンピュータ（電子計算機）を用いて構成することができる。
【００９１】
図１４は、表示装置２、２ａ、２ｂ、情報処理装置２１、２１ａ、２１ｂ、６１、及び放送局特定サーバ６として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えば１つまたは複数のプロセッサ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサ等であってもよく、出力装置９３０は、ディスプレイ、プリンタ、スピーカ等であってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００９２】
補助記憶装置９１４には、コンピュータ９１０を表示装置２、２ａ、２ｂ、情報処理装置２１、２１ａ、２１ｂ、６１、及び放送局特定サーバ６として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、表示装置２、２ａ、２ｂ、情報処理装置２１、２１ａ、２１ｂ、６１、及び放送局特定サーバ６が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路等であってもよい。
【００９３】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９５】
１  番組情報提示システム
２  表示装置
２１  情報処理装置
２２  制御部
２４  表示部
【図１】
2018174459.tif 000003
【図２】
2018174459.tif 000004
【図３】
2018174459.tif 000005
【図４】
2018174459.tif 000006
【図５】
2018174459.tif 000007
【図６】
2018174459.tif 000008
【図７】
2018174459.tif 000009
【図８】
2018174459.tif 000010
【図９】
2018174459.tif 000011
【図１０】
2018174459.tif 000012
【図１１】
2018174459.tif 000013
【図１２】
2018174459.tif 000014
【図１３】
2018174459.tif 000015
【図１４】
2018174459.tif 000016